Podtech/llm-jp-corpus-v4-ja_patent huggingface dataset:
(57)【要約】      （修正有）【課題】軽度の難聴を簡易に補償するための拡張耳介の構造を提供する。【解決手段】シリコンやプラスチックなどで製作の薄肉状拡張耳介の一部に反復着脱可能な接着構造を設け、この部位を原耳介裏面付近に任意に貼り付けて、実効的に原耳介の面積を拡大し、その集音性を向上させる。また、対称形に２枚使えば左右両耳での拡声器を期待でき、音の方向感も改善される。【選択図】図５
2006060758.tif 000002
【特許請求の範囲】
【請求項１】
拡張耳介の一部に反復着脱可能な接着構造を設け、この部位を原耳介裏面又は／及び裏面付近に任意に貼り付けて、実効的に原耳介の面積を拡張し、その集音性を向上させたことを特徴とする補聴装置。
【発明の詳細な説明】
【技術分野】
【０００１】  軽度の難聴を簡易に補償するための拡張耳介による補聴装置の構造を提供する。
【背景技術】
【０００２】軽度の難聴者は加齢とともに増加し、５０歳以上になるとほぼ全員が該当するとも言われている。
従来この該当者は電気補聴器を用いるか、なにも対策をとらずに周囲の人に不便をかけているかのいずれかであった。
【発明の開示】
【発明が解決しようとする課題】
【０００３】電気補聴器は高価であるうえにイヤホンを耳孔に挿入しつづけなければならない。これは慣れない者にとっては大変苦痛を伴うことであり、中高度難聴者以外は避けたいことである。また電気増幅にともなう雑音や歪の発生など不快要因も発生する。
昔より電気を用いない補聴装置の構造は多く存し、たとえば第１図、第２図のような補聴装置は公知である。しかしこれらは耳孔チップを挿入するものであったり、ヘットバンドで頭に固定するもの、あるいは常時手で持っている必要があるものなど日常的に使用するには欠点が多く、文献上のみの存在になっている。
【課題を解決するための手段】
【０００４】  シリコンやプラスチックなどで製作の薄肉状拡張耳介の一部に反復着脱可能な接着構造を設け、この部位を原耳介裏面又は／及び裏面付近に任意に貼り付けて、実効的に原耳介の面積を拡張し、その集音性を向上させる。本構造には機械的にクリップなどで原耳介に挟みつけるもの等は含めない。
なおここに云う原耳介とは補聴装置を必要とする対象者自身の耳介を称する。
【発明の効果】
【０００５】耳介に張り出しを設けて補聴効果が得られることは公知であって、たとえば第３図の特性のごとく会話にもっとも有効な１０００〜２０００Ｈｚ付近で１０〜１５ｄＢ程度増強される。
これは単純に耳に手をかざしただけでもはっきりと認識することができる。
しかし、上述のとおり、この原理の補聴装置は構造的欠点が多く、げんざい、実用器にはなっていない。ここに提案する構造によってのみ、この簡にして要を得た補聴装置を実用化なし得るのである。すなわち本構造によって、手持ちの必要がなく、耳穴挿入もいらず、ヘットバンドなど固着具をも必要としない安価で簡易な耳介拡張による補聴装置ができる。
【発明を実施するための最良の形態】
【０００６】第４図は本発明による拡張耳介による補聴装置の実施例である。第５図はその装着例である。接合は科学的より物理的吸着に近いものをベターとする。
本体は可塑性を与えて任意の変形が記憶できるようにすれば、平板状でなく顔正面に対して凸面をもたせて正面指向性を高めた耳介拡張による補聴装置とすることができる。また対称形に２枚使えば左右両耳での拡声器を期待でき音の方向感も改善される。
【図面の簡単な説明】
【０００７】
【図１】  従来の補聴装置
【図２】  従来の補聴装置
【図３】  拡張耳介の拡声効果
【図４】  本発明の拡張耳介
【図５】  本発明の拡張耳介による補聴装置の装着例
【符号の説明】
【０００８】  １    耳栓
２    集音カップ
３    ヘットバンド
４    拡張耳介つきの聴力
５    拡張耳介なしの聴力
１０    拡張耳介本体
１１    接合部
１２    原耳介
１３    頭
【図１】
2006060758.tif 000003
【図２】
2006060758.tif 000004
【図３】
2006060758.tif 000005
【図４】
2006060758.tif 000006
【図５】
2006060758.tif 000007
(57)【要約】【課題】全開で速く通話音で通信通話となる。閉じた状態で、三極端子のアクセスにて信号通信状態となる。閉じた状態で呼び出し音が７回鳴ると信号通信となり１０秒後に信号通信は終わる。【解決手段】他の通信通話が終われば固定電話番号回路に成る。全開と閉じた状態は並列で閉じた時点からセンサ−回路の作用にて全開と同様の働きをする。【特許請求の範囲】
【請求項１】
一般の折り畳み式携帯電話機に、全開、半開き、閉じる、セレクト機構を設け半開きで、一般携帯電話機と同様に入力して、全開で通話音、通信通話と成る。閉じると、通信通話は終わるが、固定電話番号の回路となつてる。
【請求項２】
当該携帯電話機は閉じるの状態で、呼び出し音が７回鳴ると通信通話と成り、１０秒、後に通信通話が自動で終わる。
【請求項３】
当該携帯電話機と他の回路と組合わせて、センサが感知して、アクセスすると信号通信するが５秒後、自動で通話信号が終わる、センサの感知が続けば信号通信は繰り替えされる、センサの感知が終われば、後、自動にて通信は終わる。
【請求項４】
固定電話番号を設けて、全開で速く通話音で通信通話と成る、閉じた状態は全開と回路が並列で２極端子、３極端子の作用で信号通信の自動が可能。
【発明の詳細な説明】
【技術分野】
【０００１】一般携帯電話機を、多目的に使用可能に機構、回路、を組合わせて通信通話行うが、折り畳み式で全開で、通話音になり入力しておいた固定電話番号と通信通話となる。閉じた時点では全開と回路が並列になっているが閉じても通話音にはならないが、他の回路から三極端子にてアクセスすると、固定電話番号と信号通信となる。閉じて他から通話音状態で、７回鳴ると通信通話となり、ＤＴＭＦ信号でアクセスした後結果信号が終われば、自動で通信通話が終わる。半開きで一般携帯電話機と同様に入力して全開で通話音で通信通話する。
【発明の開示】
【発明が解決しようとする課題】
【０００２】固定電話番号があり入れ替え自由で全開で速く通話音で通信通話になる。
他の回路と組合わせ、多目的に拡大する
【課題を解決するための手段】
【０００３】キ−ワ−ド（三極端子、二極端子、保持回路、に関連する）
【発明の効果】
【０００４】忙しい営業に携わる関係に速く通話が出来一瞬の無駄が解消される。
警備会社による機械式警備の場合、通信回路が切断されると通信不能となるが、多目的携帯電話機には通信回路の切断が発生しない。
【図面の簡単な説明】
【０００５】図−１全開で通信通話する。
図−２半開きで任意に入力する。
図−３閉じると通信通話が終わり。
図−４多目的携帯電話機。
図−５各端子にて出入りの信号を分離する。
図−６機器、映像、その他、機器の駆動回路。
多目的携帯電話機関連図面の説明
図−１折り畳み式の携帯電話機を全開して横から図であり、この状態は、通話音、呼び出し音、でセレクトしなくて全開で通話ができる、ただし全開して通話音で通話となるのは入力した固定番号のみと成る。
図−２折畳式の携帯電話機を半開を横から図。この状態では一般の携帯電話機と同様で番号を、入力して、図−の全開して通話と成る。
図−３折畳式携帯電話機を閉じる、横の図。、この状態は通話が終わりだが、固定番号に、三極端子にて、監視体制となる。
図−４多目的携帯電話機、切り替えすれば、一般携帯電話機と同様と成る
図−５携帯電話機の関連した、他の回路で、保持回路、時刻切断回路、ＤＴＭＦ送受回路。
図−６無縁の機器で、三極端子、保持回路に関連して機器の、ＯＮ、ＯＦＦ、映像を機器を駆動する。
図−４多目的携帯電話機は、一般携帯電話機と同じだが、常に利用回数の多い，オンリ−共いえる固定電話番号に早く面倒なセレクトしないで通話が可能
図−５電話機に関連した回路で、二極端子からの信号で図−５の回路が，駆動して保持回路にて駆動した標しを三極端子を通じ信号を送受し、時刻切断回路は，自動で監視する時点で監視体制が続くと信号は送られるが、監視体制が終われば時刻切断が働き終わる。多目的携帯電話機は全開、閉じる回路は並列で、両機構をＯＦＦにすると普通の携帯電話機となる。
【図−１】
2006060755.tif 000002
【図−２】
2006060755.tif 000003
【図−３】
2006060755.tif 000004
【図−４】
2006060755.tif 000005
【手続補正書】
【提出日】平成16年12月8日(2004.12.8)
【手続補正１】
【補正対象書類名】明細書
【補正対象項目名】０００５
【補正方法】変更
【補正の内容】
【０００５】
【図１】  全開で通信通話する
【図２】  半開きで任意に入力する
【図３】  閉じると逓信通話が終わり
【図４】  多目的携帯電話機各端子にて出入りの信号を分離する機器映像その他機器の駆動回路
【手続補正２】
【補正対象書類名】図面
【補正対象項目名】全図
【補正方法】変更
【補正の内容】
【図１】
2006060755.tif 000006
【図２】
2006060755.tif 000007
【図３】
2006060755.tif 000008
【図４】
2006060755.tif 000009
(57)【要約】【課題】架線から集電する集電装置であるパンタグラフは架線との接触面が各種板材で出来ている。電車及び電気機関車が走行すると架線とパンタグラフの接触板材との間に色々な障害が発生する。〔０００２〕参照この障害が無くなるのが本発明システムである。【解決手段】架線から集電するパンタグラフの接触板を自動回転ローラーにする事で摩擦現象を無くし、単なる接触現象にする。その為にパンタグラフの自動回転ローラーの回転数を走行速度に比例合致した回転数に制御する。【選択図】  図１
2006060988.tif 000002
【特許請求の範囲】
【請求項１】
電車・電気機関車の集電装置であるパンタグラフは架線との接触面が各種素材の板である。電車・電気機関車が走行すれば当然、架線とパンタグラフの接触板との間に摩擦現象が発生する。その摩擦現象は多種多様な弊害が発生する。その弊害を極限に解消する為に架線と接触するパンタグラフの接触板面を自動回転ローラー面で接触集電させる。それによって摩擦から単なる接触のみの集電方式となり弊害を発生しないのが特徴のシステムである。
【請求項２】
架線に接触するパンタグラフの接触面を板面から自動回転ローラー面に接触させる。ローラーの回転数は走行速度・走行距離に比例合致するように制御する。それによって架線との接触するパンタグラフの自動回転ローラーの接触面は摩擦から単なる接触面に変わり、摩擦弊害現象は一切発生しない。
【発明の詳細な説明】
【発明の詳細な説明】
【０００１】本発明はパンタグラフの架線との接触板を板から回転ローラーにする事によって電車や電気機関車が走行すると発生する架線とパンタグラフ接触板との各種摩擦・弊害現象を無くする方式のシステムである。
【０００２】従来電車・電気機関車のパンタグラフは架線との接触面が各種板材で出来ている。従って電車・電気機関車が走行すると下記の摩擦弊害が発生する。
▲１▼架線が摩擦消耗する。
▲２▼パンタグラフの接触板面が摩擦消耗する。
▲３▼架線とパンタグラフの接触板との間で火花が発生する。それと同時に雑電波が発生し、電波障害が発生する。
▲４▼架線とパンタグラフの接触板との間で摩擦熱が発生し、双方を大きく摩擦消耗する。
【課題を解決するための手段】
【０００３】架線から集電するパンタグラフの接触板面を板から自動回転ローラーにする事により、摩擦現象を無くし、単なる接触現象にする。
従って
【０００２】▲１▼〜▲４▼の弊害・損失を極限に無くする事が出来る。電力消費量も約２０％節約できる。
【発明を実施するための最良の形態】
【０００４】電車・電気機関車の走行車輪の走行速度及び走行距離と架線に接触して走行するパンタグラフの自動回転ローラー接触面の走行速度及び走行距離が完全に一致するように回転ローラー内蔵のモーター回転数を連動制御する。
【図面の簡単な説明】
【０００５】
【図１】本発明の自動回転ローラー接触面のパンタグラフの縦・横・断面システムである。
【図１】
2006060988.tif 000003
(57)【要約】【課題】発電に用いる太陽電池の使用形態は、発電力量が天候に左右され、不安定であった。【解決手段】太陽電池２に箱型の鏡１を設け、その内側に光源３によって光を照射する。【選択図】図１
2006032879.tif 000002
【特許請求の範囲】
【請求項１】
太陽電池を内面が鏡になっている箱に入れたことを特徴とする発電装置。
【請求項２】
前記内面鏡張りの箱の内側に光を照射することを特徴とする太陽電池による請求項１記載の発電装置。
【発明の詳細な説明】
【技術分野】
【０００１】  この発明は、発電に用いる太陽電池の設置形態に関する。
【背景技術】
【０００２】  従来の太陽電池による発電装置の設置形態は、図３に示すように、太陽電池２が建物４の屋根や屋上等の屋外に設けられたものである。
【発明の開示】
【発明が解決しようとする課題】
【０００３】しかしながら、以上の技術によれば、太陽電池によって発電される電力は、天候に左右され不安定であった。
そこで、この発明は、天候に左右されず、安定した電力を供給する太陽電池を提供することを課題とする。
【課題を解決するための手段】
【０００４】  以上の課題を解決するために、第一発明は、太陽電池を内面が鏡になっている箱に入れたことを特徴とする発電装置である。
また、第二発明は、内面鏡張りの箱の内側に光を照射することを特徴とする太陽電池による発電装置である。
【発明の効果】
【０００５】  第一発明、および第二発明によれば、装置内で何度も光を反射させるので、常に一定量以上の発電がなされ、安定した電力供給がなされる。
【発明を実施するための最良の形態】
【０００６】  この発明の一実施形態を、図１および図２に示す。
箱型の鏡１は内面が鏡となっている。太陽電池２を図１のように箱型の鏡１にはめ込み設ける。光源３は光が外にもれないよう設置し、装置の規模にあわせ設置する数を調整する。光源３は常時点灯させておく。【０００７】「実施形態の効果」
この実施形態によれば、箱型の鏡１働きで、光源３から発せちれた光が鏡面により何度も反射される。その光を受ける太陽電池２は、常に発電をしつづける。したがって、安定した電力供給がなされる。【０００８】  また、光源を照明器具等とする場合、装置を設置する場所を選ばないので、日照条件の悪い場所でも使用することができる。【０００９】「他の実施形態」
図１及び図２の実施形態では、箱型の鏡１の内側に光源３が設けられているが、他の実施形態では、箱型の鏡１を、内側を鏡面としたマジックミラーで作られたものとし、屋外に設置し、太陽光を内側で反射させ発電するものでも良い。
【図面の簡単な説明】
【００１０】
【図１】この発明の一実施形態を示す、横から見た断面図である。
【図２】この発明の一実施形態を示す、上から見た断面図である。
【図３】従来の技術を示す斜視図である。
【符号の説明】
【００１１】１  箱型の鏡              ２  太陽電池
３  光源                  ４  建物
５  太陽
【図１】
2006032879.tif 000003
【図２】
2006032879.tif 000004
【図３】
2006032879.tif 000005